(57)【要約】      （修正有）【課題】住宅内に設置されている住警器を含む各種の端末機器の検知情報から住宅内の状況を判断してネットワークを介して外部に通報して状況を把握可能とする。【解決手段】ホームコントローラ１０の判断処理部５０は、人感センサ１２などの端末機器から受信した電文を判断して報知部３０から判断結果を出力すると共にネットワークアダプタ３４からインターネット２０を介して外部端末機器２２にメールを送信して通知する。判断処理部５０は、人感センサ１２から人検知電文を受信した際に、外部端末機器２２に安否確認メールを送信する安否確認部５２の機能を備える。【選択図】図２
2010049455.tif 000002
【特許請求の範囲】
【請求項１】
住宅内に設置された１又は複数の端末機器との間で電文を送受信する送受信回路部と、
外部端末機器との間で情報を送受信するアダプタと、
警報を出力する報知部と、
前記端末機器から受信した電文を判断して前記報知部から判断結果を出力すると共に前記外部端末機器に前記判断結果を送信する判断処理部と、
を設けたことを特徴とする住宅用コントローラ装置。
【請求項２】
請求項１記載のコントローラ装置に於いて、
前記端末機器は人感センサであり、
前記判断処理部は、前記人感センサから人検知電文を受信した際に、前記外部端末機器に安否確認情報を送信する安否確認部の機能を備えたことを特徴とする住宅用コントローラ装置。
【請求項３】
請求項２記載のコントローラ装置に於いて、前記安否確認部は、予め登録した確認時間帯に所定回数だけ動作することを特徴とする住宅用コントローラ装置。
【請求項４】
請求項２記載のコントローラ装置に於いて、前記安否確認部は、前記確認時間帯として起床時間帯と就寝時間帯を登録することを特徴とする住宅用コントローラ装置。
【請求項５】
請求項１記載のコントローラ装置に於いて、
前記端末機器は泣き声センサであり、
前記判断処理部は、外出モードの設定状態で、前記泣き声センサから泣き声検知電文を受信した時に、前記外部端末機器に泣き声検知情報を送信する泣き声通知部の機能を備えたことを特徴とする住宅用コントローラ装置。
【請求項６】
請求項１記載のコントローラ装置に於いて、
前記端末機器は商用交流電源の使用を検出するＡＣセンサであり、
前記判断処理部は、外出モードの設定状態で、前記ＡＣセンサから電源使用検知電文を受信した時に、前記外部端末機器に消し忘れ情報を送信する消忘れ確認部の機能を備えたことを特徴とする住宅用コントローラ装置。
【請求項７】
請求項６記載のコントローラ装置に於いて、前記消し忘れ確認部は、前記外部端末機器から制御情報を受信した時に、前記ＡＣセンサに制御電文を送信して電源供給を停止させることを特徴とする住宅用コントローラ装置。
【請求項８】
請求項６記載のコントローラ装置に於いて、前記消し忘れ確認部は、前記外部端末機器から確認情報を受信した時に、前記ＡＣセンサの使用状態を示す応答情報を返信することを特徴とする住宅用コントローラ装置。
【請求項９】
請求項１記載のコントローラ装置に於いて、
前記端末機器は人感センサであり、
前記判断処理部は、外出モードの設定状態で前記人感センサから人検知電文を受信した時に、前記外部端末機器に防犯情報を送信する防犯通知部の機能を備えたことを特徴とする住宅用コントローラ装置。
【請求項１０】
火災及び他の異常を検出して警報する住宅用警報器に於いて、
住宅内に設置された１又は複数の端末機器との間で電文を送受信する送受信回路部と、
外部端末機器との間で情報を送受信するアダプタと、
警報を出力する報知部と、
前記端末機器から受信した電文を判断して前記報知部から判断結果を出力すると共に前記外部端末機器に前記判断結果を送信する判断処理部と、
を設けたことを特徴とする住宅用警報器。
【発明の詳細な説明】
【技術分野】
【０００１】
本発明は、ネットワーク、電話回線、ＣＡＴＶ通信網などを利用して住宅に設置されている警報器やセンサによる状況を監視可能とする住宅用コントローラ装置及び住宅用警報器に関する。
【背景技術】
【０００２】
従来、住宅における火災やガス漏れなどの異常を検出して警報する住宅用警報器（以下「住警器」という）が普及しており、近年にあっては、１つの住戸に複数の住警器を設置して部屋毎に火災などの異常を監視する傾向も増加し、更に、無線式の住警器により警報システムを構築し、ある住警器で火災を検出して警報したら、他の住警器に警報信号を無線送信して連動警報させるようにしている。
【０００３】
一方、近年にあっては、住宅における情報を集中的に管理する住宅情報盤として機能する住宅用コントローラ装置が普及しており、コントローラ装置はインターホン親器として機能すると共に、外出時に防犯モードにセットすると、人感センサや戸締りセンサの異常検出信号を受信して盗難警報を出力するセキュリティー機能が設けられている。
【特許文献１】特開２００７−０９４７１９号公報
【発明の開示】
【発明が解決しようとする課題】
【０００４】
しかしながら、このような従来の住宅に設置された火災を監視する住警器にあっては、火災センサとしての機能に加え音声及びＬＥＤなどの光によって警報を出力する機能を備えているにも拘らず、火災発生時にしか使用されず、火災発生時以外は点検スイッチを操作したときに正常に動作していることを示す報知が行われるだけである。
【０００５】
このように住警器が日常的に使用されることがないと、その存在が忘れられ、長期間点検操作なども行われずに放置されることも多く、住警器としては例えば１０年間という電池寿命を保証しているが、維持管理が不十分となり、汚れの付着などにより本来の火災監視機能も損なわれる恐れもある。
【０００６】
また、従来の住宅総合盤として機能する住宅用コントローラ装置は、火災や盗難などの異常を受信した際に、住居内で警報を出力しており、在宅している場合は警報出力に対処できるが、外出している場合には帰ってみないと警報が出力されたことが分からないという問題がある。
【０００７】
また、近年にあっては、住警器の設置義務に伴い火災よる死亡件数の低減、特に老人世帯の逃げ遅れによる死亡件数の低減が期待されているが、老人世帯となっている親から離れた遠隔地で子供の世帯が生活しているような状況では、電話などにより安否を確認しているが、安否の確認を日常的に継続して行うことは中々できず、老人世帯における生活の様子を遠隔地から簡単に確認できるようなシステムが望まれている。
【０００８】
更に、赤ちゃんのいる世帯にあっては、赤ちゃんが寝ている間に外出して買物などの用事を済ますようにしているが、用事を済まして帰宅したら既に目覚めた赤ちゃんが大泣きしているようなこともあり、安心して外出することができない状況にある。
【０００９】
本発明は、住宅内に設置されている住警器を含む各種の端末機器の検知情報から住宅内の状況を判断してネットワークを介して外部に通報して状況を把握可能とする住宅用コントローラ装置及び住宅用警報器を提供することを目的とする。
【課題を解決するための手段】
【００１０】
本発明は住宅用コントローラ装置を提供するものであり、
住宅内に設置された１又は複数の端末機器との間で電文を送受信する送受信回路部と、
外部端末機器との間で情報を送受信するアダプタと、
警報を出力する報知部と、
端末機器から受信した電文を判断して報知部から判断結果を出力すると共に外部端末機器に判断結果を送信する判断処理部と、
を設けたことを特徴とする。
（安否確認）
ここで、端末機器は人感センサであり、判断処理部は、人感センサから人検知電文を受信した際に、外部端末機器に安否確認情報、例えば安否確認メールを送信する安否確認部の機能を備える。
【００１１】
安否確認部は、予め登録した確認時間帯に所定回数、例えば１回だけ動作する。また、安否確認部は、確認時間帯として起床時間帯と就寝時間帯を登録する。
（泣き声通知）
端末機器は泣き声センサであり、判断処理部は、外出モードの設定状態で、泣き声センサから泣き声検知電文を受信した時に、外部端末機器に泣き声検知情報を送信する泣き声通知部の機能を備える。
（消し忘れ確認）
端末機器は商用交流電源の使用を検出するＡＣセンサであり、判断処理部は、外出モードの設定状態で、ＡＣセンサから電源使用検知電文を受信した時に、外部端末機器に消し忘れ検知情報を送信する消忘れ確認部の機能を備える。
【００１２】
消し忘れ確認部は、外部端末機器から制御情報を受信した時に、ＡＣセンサに制御電文を送信して電源供給を停止させる。
【００１３】
消し忘れ確認部は、外部端末機器から確認情報を受信した時に、ＡＣセンサの使用状態を示す応答メールを返信する。
（防犯）
端末機器は人感センサであり、判断処理部は、外出モードの設定状態で人感センサから人検知電文を受信した時に、外部端末機器に防犯情報を送信する防犯通知部の機能を備える。
【００１４】
更に本発明は、火災及び他の異常を検出して警報する住宅用警報器に於いて、
住宅内に設置された１又は複数の端末機器との間で電文を送受信する送受信回路部と、
外部端末機器との間で情報を送受信するアダプタと、
警報を出力する報知部と、
端末機器から受信した電文を判断して報知部から判断結果を出力すると共に外部端末機器に判断結果を送信する判断処理部と、
を設けたことを特徴とする。
【発明の効果】
【００１５】
本発明の住宅用コントローラ装置及び住宅用警報器によれば、住宅に設置されているか設置可能な人感センサ、ＡＣセンサなどによる検知情報を判断し、判断結果をインターネットなどを経由して携帯電話などの外部端末機器に例えばメール送信することにより、住宅内の様子をリアルタイムで外部から把握し、状況に応じた適切な対応措置を迅速にとることができる。
【００１６】
例えば、人感センサによる人検知であれば、遠隔地からの安否の確認や外出時の盗難発生をメールで知ることができる。
【００１７】
また、泣き声センサによる泣き声検知であれば、外出中に赤ちゃんが起きたことがメールで分かるので、メールがなければ安心して買物などの用事を済ますことができる。
【００１８】
更に、ＡＣセンサであれば、電気製品に消し忘れがないことを確認して外出した後にタイマにより電気製品が動作したことがメールで分かり、必要があれば制御メールを送って電源を切ることもできる。
【００１９】
このようなセンサによる検知情報による監視対象や通報事項を必要に応じて適宜に定め、検知情報から状況を判断してメール送信する機能を住宅用コントローラ装置に持たせることで、住宅における日常的な事象の外部監視や外部通報を可能とし、安全で快適な生活環境の確保が期待される。
【００２０】
また住警器のような火災発生時にしか使用されない端末機器であっても、例えば人感センサを一体に備えたような住警器にあっては、日常的に住警器をセンサとして使用することができ、例えば１０年間の電池寿命を持つ信頼性の高い住警器の機能を有効に活用することができる。
【発明を実施するための最良の形態】
【００２１】
図１は本発明の住宅用コントローラ装置と端末機器が設置された住宅を示した説明図である。図１において、住宅１１の例えば居間には、本発明の住宅用コントローラ装置として機能するホームコントローラ１０が設置されている。
【００２２】
ホームコントローラ１０は住宅１１内に設置している端末機器からの検知信号を無線電文により受信し、受信電文を判断して、判断結果を警報音及びまたは表示により出力すると共に、インターネット２０を介して、携帯電話やパソコンなどの外部端末機器２２に、判断結果に基づくメールを送信するようにしている。
【００２３】
ホームコントローラ１０に対する端末機器として、住宅１１内には、この実施形態にあっては、人感センサ１２、住警器１４−１，１４−２、泣き声センサ１６及びＡＣセンサ１８が設けられている。人感センサ１２はトイレに設置されており、居住者がトイレを使用すると、人感センサ１２が人検知電文をホームコントローラ１０に送信する。
【００２４】
住警器１４−１，１４−２は火災による煙や熱を検出して火災警報を出力する警報器であり、本実施形態にあっては、住警器１４−１，１４−２に人感センサ１２−１，１２−２が設けられており、人感センサ１２−１，１２−２は例えば盗難用の監視センサとして用いることができる。
【００２５】
なお住警器１４−１，１４−２に人感センサ１２−１，１２−２を設けている理由は、人の存在の有無に応じて火災判断の検出感度を変えるようにするためである。例えば人検出態では火災の検出感度を低く設定し、人検出のない状態では火災の検出感度を高くしている。
【００２６】
泣き声センサ１６は寝室に設置されており、例えば赤ちゃんのいる世帯にあっては、赤ちゃんのベッドの近くに設置され、設定した音量を超える泣き声を検出すると、泣き声検知電文をホームコントローラ１０に送信する。
【００２７】
ＡＣセンサ１８は寝室に設けられており、ＡＣセンサ１８はＡＣコンセントに、無線通信機能と、コンセントに電気ストーブなどの電気製品を差し込んで使用したときの電源供給を検出する機能を備えており、電気製品に対する電源供給を検出すると使用検知電文をホームコントローラ１０に送信する。
【００２８】
本実施形態のホームコントローラ１０は、次の判断処理機能を備えている。
（１）安否確認機能
（２）泣き声通知機能
（３）消し忘れ確認機能
（４）防犯監視機能
安否確認機能は、例えばトイレに設置している人感センサ１２から人検知電文を受信した際に、インターネット２０を介して、予め登録しているメールアドレスの外部端末機器２２に対し安否確認メールを送信する。
【００２９】
泣き声通知機能は、外出時にホームコントローラ１０で外出モードを設定すると、泣き声センサ１６から泣き声検知電文を受信したときに、インターネット２０を介して外部端末機器２２に対しメールを送信する。
【００３０】
消し忘れ確認機能は、外出時にホームコントローラ１０の表示で消し忘れを確認して外出した後、例えばＡＣセンサ１８に接続している電気ストーブがタイマなどにより動作したとき、ＡＣセンサ１８から使用検知電文がホームコントローラ１０に送信され、これに応じて外部端末機器２２に対し消し忘れメールを送信する。
【００３１】
更に防犯監視機能は、ホームコントローラ１０に対する外出モードの設定状態で、人感センサ１２、１２−１，１２−２のいずれかから人検知電文を受信したときに、外部端末機器２２に対し防犯メールを送信する。
【００３２】
図２は本発明による住宅コントローラ装置の実施形態、即ち図１のホームコントローラ１０の実施形態を端末機器及び外部端末機器と共に示したブロック図である。
【００３３】
図２において、ホームコントローラ１０に対しては、住宅内に設置された端末機器として人感センサ１２−１，１２−２を一体に備えた無線式の住警器１４−１，１４−２、無線通信部を備えた人感センサ１２、無線通信部を備えた泣き声センサ１６、無線通信部を備えたＡＣセンサ１８が設けられている。またホームコントローラ１０に対しては、インターネット２０を介して、携帯電話やパソコンなどの外部端末機器２２が有線または無線回線で接続される。
【００３４】
本実施形態のホームコントローラ１０はＣＰＵ２４を備え、ＣＰＵ２４に対しては、アンテナ２８を備えた無線回路部２６、報知部３０、操作部３２、ネットワークアダプタ３４及びメモリ３６を設けている。なおホームコントローラ１０は商用ＡＣ１００ボルトを電源として動作し、停電用のバックアップ電源として電池電源を設けている。
【００３５】
無線回路部２６には送信回路３８と受信回路４０が設けられ、端末機器との間で電文を無線により送受信できるようにしている。無線回路部２６としては、日本国内の場合には例えば４００メガヘルツ帯の特定小電力無線局の標準規格として知られたＳＴＤ−３０（小電力セキュリティシステムの無線局の無線設備の標準規格）、またはＳＴＤ−Ｔ６７（特定小電力無線局テレメータ用、テレコントロール用、及びデータ伝送用無線設備の標準規格）に準拠した構成を備える。
【００３６】
この無線回路部２６の構成は、住警器１４−１，１４−２、人感センサ１２、泣き声センサ１６及びＡＣセンサ１８に設けている無線回路部についても同様である。もちろん無線回路部２６としては、日本国内以外の場所については、その地域の割当無線局の標準規格に準拠した内容を持つことになる。
【００３７】
報知部３０には、ディスプレイ４２、スピーカ４４、ＬＥＤ４６が設けられている。ディスプレイ４２には、端末機器からの電文受信に基づく判断結果や、ホームコントローラ１０の操作に必要な各種の文字、記号の情報が出力される。スピーカ４４からは受信電文の判断結果に基づく警報音や音声メッセージ、更には音声ガイダンスなどが出力される。ＬＥＤ４６は、端末機器からの受信電文に基づく判断結果による警報出力や表示に応じて、点滅、明滅、点灯などの光による表示を行う。
【００３８】
ネットワークアダプタ３４は、ホームコントローラ１０をインターネット２０を経由して外部端末機器２２との間でメールを送受信し、例えばイーサネット（Ｒ）などの適宜のインターネット（Ｒ）プロトコルに従ったアダプタを使用している。
【００３９】
メモリ３６には、住宅内に設置している端末機器との間で電文を送受信するための送信元符号６０とグループ符号６２が格納されている。送信元符号６０は端末機器を特定するＩＤ（識別子）である。グループ符号６２は複数の端末機器との間で電文送受信を行うためのグループを構成するための符号である。送信元符号６０としては、国内に提供されているホームコントローラ１０と連携を取る端末機器の数を予測し、例えば同一符号として重複しないように３２ビットの符号コードが使用される。
【００４０】
グループ符号６２は、グループを構成する複数の端末機器に共通に設定される符号であり、無線回路部２６で受信した他の端末機器からの電文に含まれるグループ符号が、メモリ３６に登録しているグループ符号６２に一致したとき、この電文を有効な電文として受信して処理することになる。
【００４１】
グループの識別は、グループ符号以外に、端末機器を特定するＩＤである送信元符合６０を使用してもよい。即ち、ホームコントローラ１０に同じグループに属する端末機器の送信元符号を予め登録しておき、受信電文に含まれる送信元符合が登録済送信元符合に一致したら、同じグループに属する端末機器からの電文として処理する。
【００４２】
またメモリ３６には、ホームコントローラ１０における安否確認、泣き声通知、消し忘れ確認、防犯監視などの判断処理に使用する各種のテーブルが格納されている。
【００４３】
ＣＰＵ２４には、プログラムの実行により実現される機能として判断処理部５０が設けられている。判断処理部５０は端末機器から受信した電文を判断し、報知部３０から判断結果を警報音や表示により出力すると共に、ネットワークアダプタ３４から判断結果に基づいて作成したメールを、インターネット２０を経由して外部端末機器２２に送信する。
【００４４】
判断処理部５０の具体的な処理機能は、安否確認部５２、泣き声通知部５４、消し忘れ確認部５６及び防犯監視部５８の機能として実現されている。
【００４５】
安否確認部５２は、トイレに設置している人感センサ１２から人検知電文を受信した際に、インターネット２０を経由して外部端末機器２２に安否確認メールを送信する。この安否確認メールの送信動作は、予め登録した確認時間帯に予め設定した回数、例えば１回だけ動作する。確認時間帯としては、例えば起床時間帯として６時３０分から８時３０分、就寝時間帯として２０時から２３時を登録している。
【００４６】
泣き声通知部５４は、ホームコントローラ１０の操作部のモードスイッチ６８により外出モードが設定された状態で、泣き声センサ１６からの泣き声検知電文を受信したときに、携帯電話などの外部端末機器２２に対しメールを送信する。
【００４７】
消し忘れ確認部５６は、ホームコントローラ１０のディスプレイ４２で電気製品の使用状態を確認して外出する際に、モードスイッチ４９の操作で外出モードを設定し、この状態で例えばタイマなどにより電気製品が起動したときのＡＣセンサ１８からの電源使用検知電文を受信したときに、外部端末機器２２に対し消し忘れメールを送信する。
【００４８】
また消し忘れ確認部５６にあっては、消し忘れメールを送信した外部端末機器２２からの制御メールを受信したときに、ＡＣセンサ１８に制御電文を送信し、電源供給を停止させることもできる。更に消し忘れ確認部５６は、外部端末機器２２から確認メールを受信したときに、ＡＣセンサ１８の使用状態を示す応答メールを返信することも可能である。
【００４９】
防犯監視部５８は、モードスイッチ４９の操作で外出モードを設定した状態で、人感センサ１２，１２−１，１２−２のいずれかから人検知電文を受信したとき、外部端末機器２２に対し侵入者検知と判断し、防犯メールを送信する。
【００５０】
このような判断処理部５０における安否確認、泣き声通知、消し忘れ確認及び防犯監視の各処理機能を実現するため、メモリ３６には端末管理テーブル６４、端末状態保存テーブル６６、処理要求管理テーブル６８、メール管理テーブル７０及び通信状態テーブル７２が設けられている。
【００５１】
図３は本実施形態で使用する電文フォーマットを示した説明図である。図３において、電文７４は送信元符号６０、グループ符号６２及びイベント符号７６で構成されている。送信元符号６０は例えば３２ビットの符号である。またグループ符号６２は８ビットの符号であり、同一グループを構成する例えば図２の端末機器に設定されている。
【００５２】
イベント符号７６は、火災、人感などの検知内容を表す符号であり、本実施形態にあっては３ビット符号を使用しており、例えば「００１」で火災、「０１０」で人感、「０１１」で泣き声、「１００」でＡＣ（電源使用検知）、残りをリザーブとしている。なおイベント符号７６のビット数は、検知の種類が増加したときは更に４ビット、５ビットと増加させることで、複数種類のイベント内容を表すことができる。
【００５３】
図４は図２の実施形態で使用する端末管理テーブル６４を示した説明図である。端末管理テーブル６４は端末情報と端末対応機能に分けられる。端末情報には
（１）端末番号
（２）端末名称
（３）設置場所
が登録されている。
【００５４】
また端末対応機能としては
（１）安否確認
（２）泣き声通知
（３）消し忘れ通知
（４）防犯
（５）ＨＣ（ホームコントローラ）表示
が登録されている。
【００５５】
この端末対応機能における登録は「○：使用」「×：未使用」のいずれかの状態を登録している。例えば端末番号１の人感センサを見ると、設置場所はトイレであり、端末対応機能は安否確認となっている。
【００５６】
また端末番号４の泣き声センサは寝室に設置され、端末対応機能は泣き声通知に使用されている。また端末番号５のＡＣセンサは寝室に設置され、端末対応機能としては消し忘れ通知とＨＣ表示に使用されている。
【００５７】
このように端末管理テーブル６４は端末番号、端末名称、設置場所といった端末情報に加え、ホームコントローラ１０において、センサがどのような端末対応機能として使用されるかを予め登録している。
【００５８】
図５は図２の実施形態で使用する端末状態保存テーブル６６を示した説明図である。端末状態保存テーブル６６には、図４の端末管理テーブル６４から取得された端末番号１〜       ５に対応し、火災と監視の２つのセンサ機能に分けて、現在の端末状態と、これに対応したホームコントローラ処理状態（ＨＣ処理状態）を登録している。
【００５９】
登録内容は、右側に取り出して示すように
「−」は端末に該当機能なし、
「×」は端末と通信不能、
「ＯＮ」は端末が作動状態、
「ＯＦＦ」は端末が平常状態
を表している。
【００６０】
例えば端末番号１のトイレに設置した人感センサ１２は、現在の端末状態及びＨＣ処理状態について火災センサ機能はなく、監視センサとして「ＯＦＦ」に示すように人検知を行っていない平常状態にあることを示している。また端末番号２の住警器１４−１はすべて「×」であり、端末としての通信不能状態にあることを示している。
【００６１】
また端末番号３の住警器１４−２にあっては、火災センサとしては「ＯＦＦ」に示すように平常状態にあるが、監視センサは「ＯＮ」であり、住警器１４−２に設けた人感センサ１２−２が作動状態にあることを示している。
【００６２】
このとき対応するＨＣ処理状態の監視が「ＯＦＦ」であり、これは住警器１４−２の人感センサ１２−２で人が検出されているが、ホームコントローラ１０では人検知電文の受信に基づく処理がまだ行われていない状態を示している。
【００６３】
また端末番号４の泣き声センサ１６にあっては、現在の端末状態及びＨＣ処理状態の監視が共に「ＯＦＦ」であり、端末が平常状態にあることを示している。
【００６４】
端末番号５のＡＣセンサ１８にあっては、現在の端末状態及びＨＣ処理状態が共に「ＯＮ」であり、これはＡＣセンサ１８が電気ストーブなどの電気製品が使用されて電源供給が行われている状態を検出し、かつホームコントローラ１０で表示処理が行われている状態を示している。
【００６５】
図６は図２の実施形態で使用する処理要求管理テーブル６８を示した説明図である。処理要求管理テーブル６８には、端末番号１〜７に分けて安否確認、泣き声通知、消し忘れ通知及び防犯の４つの機能につき、「ＯＮ」の処理要求ありか、「ＯＦＦ」の処理要求なしかが登録されている。図６にあっては、端末番号１のトイレに設置した人感センサ１２の安否確認につき「ＯＮ」がセットされ、処理要求ありとなっている。
【００６６】
図７は図２の実施形態で使用するメール管理テーブル７０を示した説明図である。メール管理テーブル７０は、送信番号をインデックスとして、端末番号、宛先（メールアドレス）、件名、本文、監視開始時刻及び開始終了時刻が登録されている。
【００６７】
送信番号はメール管理テーブル７０の登録内容を順番に処理するためのインデックスである。このメール管理テーブル７０は、図４に示した端末管理テーブル６４における端末番号１〜４の端末機器、即ち人感センサ１２、住警器１４−１，１４−２に設けた人感センサ
１２−１，１２−２及び泣き声センサ１６の登録内容を例にとっている。
【００６８】
例えば端末番号１の人感センサ１２にあっては、本実施形態のホームコントローラ１０が老人世帯である親の住宅１１に設置されている場合、遠隔地に居住している子供のメールアドレスが宛先として設定されている。
【００６９】
次の件名はメールタイトルであり、端末番号１については安否確認であることから、例えば「おはようございます」が登録されている。続いてメール本文となり、「今朝もトイレに・・・」といった起床時間帯に居住者が必ず行う行動の１つとしてトイレの使用を知らせるようにしている。
【００７０】
次の監視開始時刻と監視終了時刻は、端末番号１の人感センサ１２で検知する安否確認の機能を動作させるための時間帯であり、この場合は、朝起きて生活を始める６時３０分から８時３０分の起床時間帯を登録している。
【００７１】
次の端末番号２，３は、住警器１４−１，１４−２に設けた人感センサ１２−１，１２−２に対応した安否確認のためのメール管理内容であり、開始時間帯として就寝時間帯となる２０時から２３時を設定している。
【００７２】
端末番号４の泣き声センサ１６による泣き声通知については、監視開始時刻と終了時刻は０時から２４時の２４時間のすべての時間帯を設定しており、この時間帯の設定の下に、外出時の外出モードの設定操作で泣き声監視が有効となる。
【００７３】
図８は図２の実施形態で使用する送信管理テーブル７２を示した説明図である。送信管理テーブル７２には、図７のメール管理テーブル７０から得られた送信番号と、未送信を示す「Ｎｏ」と、送信済みを示す「Ｙｅｓ」が登録されている。
【００７４】
この図４〜図８に示したテーブルを用いた例えば安否確認処理の概略は次のようになる。まず図５の端末状態保存テーブル６６において、端末番号３の寝室に設置している住警器１４−２の人感センサ１２−２から人検知電文が送信されると、この人検知電文を受信し、端末状態保存テーブル６６における現在の端末状態における監視につき、該当端末番号３に対応して端末作動を示す「ＯＮ」ｉセットされる。
【００７５】
このとき端末番号３の現在の端末状態における監視の「ＯＮ」とＨＣ処理状態における監視の「ＯＦＦ」を比較すると、両者は不一致であることから、ホームコントローラで端末からの人検知電文の処理が終了していない。そこで、図６の処理要求管理テーブル６８の該当端末番号３の安否確認につき、それまでの処理要求なしの「ＯＦＦ」を、図示のように処理要求ありの「ＯＮ」に変更する。
【００７６】
このように図６の処理要求管理テーブル６８が処理要求ありの「ＯＮ」にセットされると、所定のタイミングで処理要求管理テーブル６８をサーチして、処理要求あり「ＯＮ」となっている端末番号３を取得し、処理要求となっている端末番号３に対応したメール送信を行う。
【００７７】
メール送信は該当端末番号３により、図７のメール管理テーブル７０を参照し、まず現在時刻が監視開始時刻と監視終了時刻の時間帯に入っているか否か判別する。監視時間帯に入っている場合には、宛先として登録されたメールアドレスに対し、件名及び本文からなるメールを作成して送信待ち状態とする。
【００７８】
この送信待ち状態は、送信番号により図８の送信管理テーブル７２で管理されており、該当送信番号３の送信状態は「Ｎｏ」と未送信であることから、この未送信を判別して、送信待ちにある作成した安否確認メールをインターネットを経由して宛先のメールアドレスに送信する。メール送信が済むと、送信管理テーブル７２の送信状態を「Ｙｅｓ」の送信済みに更新する。
【００７９】
図９は図２の実施形態による監視処理を示したフローチャートであり、ホームコントローラ１０に設けたＣＰＵ２４による判断処理部５０の処理となる。
【００８０】
図９において、ホームコントローラ１０の電源を投入すると、ステップＳ１でハードウェアチェック及び初期化処理が行われる。初期化処理はメモリ３６上に各種のテーブルを展開する処理が含まれる。
【００８１】
続いてステップＳ２ですべての処理が正常であれば、ステップＳ３に進み、正常を報知部３０のスピーカ４４による音声またはＬＥＤ４６の点灯、更にはディスプレイ４２による表示で報知する。一方、ステップＳ２で異常があった場合には、ステップＳ４で異常を報知した後、ステップＳ５で致命的異常か否かチェックし、致命的な異常でなければステップＳ７に進み、もし致命的な異常であった場合にはステップＳ６でエラー終了となる。
【００８２】
ステップＳ7にあっては、端末管理テーブル６４を参照し、端末装置との通信を確認する。図４の端末管理テーブル６４にあっては、端末番号1〜５の端末機器との間で通信を行うことになる。続いてステップＳ８で通信確認の結果に基づき端末状態保存テーブル６６を更新する。図５の端末状態保存テーブル６６にあっては、端末番号２の台所に設置している住警器１４−１について通信不能の結果が得られている。
【００８３】
続いてステップＳ９ですべての端末機器との確認が完了したか否か判別し、すべての端末機器との確認が完了した場合には、ステップＳ１０で接続完了を報知する。一方、図４の端末状態保存テーブル６６に示したように、端末番号２の端末機器との間で通信不能となっていたような場合には、ステップＳ１１で現在の未接続の端末機器が例えば端末番号２の住警器１４−１であることを報知する。
【００８４】
続いてステップＳ１２で定期入出力処理を実行し、またステップＳ１３で安否確認処理を実行し、ステップＳ１４で泣き声通知処理を実行し、ステップＳ１５で消し忘れ通知処理を実行し、更にステップＳ１６で防犯処理を実行し、再びステップＳ７に戻り、同様な処理を繰り返す。
【００８５】
図１０は図９のステップＳ１２における定期入出力処理の詳細を示したフローチャートである。図１０の定期入出力処理にあっては、ステップＳ２１でそのときメモリのバッファ領域などに格納している未処理の端末機器からの電文を確認し、ステップＳ２で未処理電文があることを判別すると、ステップＳ２３に進み、電文を解析し、該当端末について端末状態保存テーブル６６における現在の端末状態を更新する。
【００８６】
例えば端末番号３の居間の住警器１４−２に設けている人感センサ１２−１で人検出電文が出されていた場合には、該当端末番号３の現在の端末状態における監視の項目を「ＯＮ」に更新する。
【００８７】
次にステップＳ２４で該当端末について端末状態保存テーブル６６の現在の端末状態とＨＣ処理状態を比較する。例えば図５の端末状態保存テーブル６６における該当端末番号３にあっては、現在の端末状態が「ＯＮ」、ＨＣ処理状態が「ＯＦＦ」となっており、これを比較する。
【００８８】
その比較の結果、ステップＳ２５で相違ありが判別されると、ステップＳ２６に進み、該当端末番号３により図４の端末管理テーブル６４を参照し、端末対応機能が「安否確認」について使用していることを判別し、これに基づき図６の処理要求管理テーブル６８の該当端末番号３の安否確認に対応した登録内容「ＯＦＦ」を図示のように「ＯＮ」に更新し、処理要求ありとする。
【００８９】
続いてステップＳ２７で図４の端末管理テーブル６４における該当端末番号３に対応するＨＣ表示を参照し、この場合、「○」の登録で使用となっていることから、ステップＳ２８において、図５の端末状態保存テーブル６６の該当端末番号３に対応したＨＣ処理状態における監視の「ＯＦＦ」を現在の端末状態「ＯＮ」に合わせて、処理要求の更新が完了した状態とする。
【００９０】
このように定期入出力処理にあっては、端末機器から受信した未処理電文を解読して、処理要求管理テーブル６８の該当端末番号と安否確認で決まる位置に処理要求ありを示す「ＯＮ」を登録し、これを電文受信ごとに繰り返すことになる。
【００９１】
図１１は図９のステップＳ１３における安否確認処理の詳細を示したフローチャートである。図１１において、安否確認は、ステップＳ３１で送信番号を初期値の１に設定し、現在時刻を取得する。
【００９２】
続いてステップＳ３２のメール管理テーブル７０に送信番号があるか否かチェックし、送信番号があれば、ステップＳ３３で該当送信番号についてメール管理テーブル７０から監視開始時刻と監視終了時刻を取得する。
【００９３】
続いてステップＳ１４で現在時刻が監視時間帯に入っているか否か判別し、入っていればステップＳ３５に進み、メール送信回数Ｎが予め設定した回数であるＡ回に達したか否か判別し、Ａ回未満であればステップ３６で送信回数Ｎを＋１とし、ステップＳ３６に進む。通常、安否確認は、予め設定した時間帯に１回送信すれば良いことから、Ａ＝１に設定しておくことにより、１回だけ安否確認メールを送信することができる。
【００９４】
続いてステップＳ３７で該当送信番号についてメール管理テーブル７０から端末番号を取得する。続いてステップＳ３８で該当送信番号について図６の処理要求管理テーブル６８の安否確認を参照する。このとき、参照したテーブル位置が「ＯＮ」となっていれば、ステップＳ３９で処理要求ありが判別され、ステップＳ４０で該当端末番号について、図８の送信管理テーブル７２から送信状態を取得し、取得した送信状態が「Ｎｏ」であればステップＳ４１で未送信が判別され、ステップＳ４２で該当送信番号について図７のメール管理テーブル７０の本文の内容を持つ安否確認メールを該当するメールアドレスに送信する。
【００９５】
安否確認メールの送信が済むと、ステップＳ４３で該当送信番号の送信管理テーブル７２の送信状態を送信済となる「Ｙｅｓ」に更新する。続いてステップＳ４４で送信番号を＋１し、再びステップＳ３２に戻り、次の送信番号について同様な処理を繰り返す。このような安否確認処理により、処理要求の立った人感センサ１２からの人検知信号に基づく安否確認メールの送信がリアルタイムで行われることになる。
【００９６】
図１１の安否確認処理における具体的な使用例としては、例えば起床時間帯となる６時３０分から８時３０分に監視時間帯を設定した場合、起床した居住者がトイレを使用した場合に人感センサ１２により人検知電文がホームコントローラ１０に送信され、これに基づき１回だけ安否確認メールが、登録している外部端末機器に送信される。
【００９７】
これによって安否確認メールの受信者は、例えばホームコントローラ１０を設置している住宅１１に住んでいる遠隔地の親が普段と変わらない生活をしていることを知り、安心することができる。逆に、設定した時間帯に安否確認メールが来ない場合は、自分から連絡を取って安否を確認することができる。
【００９８】
また居間や寝室に設置されている人感センサ１２−１，１２−２による人検知で安否確認メールを送信するようにした場合には、例えば図７のメール管理テーブル７０に示したように、就寝時間となる２０時から２３時といった監視時間帯を設定しておくことで、ベッドに着く際に人検知電文に基づきホームコントローラ１０が安否確認メールを送信し、この安否確認メールを受信することで、遠隔地の親が普段と変わらない生活をしていることを知り、万一、メールが来ない場合には自分から連絡を取って安否を確認することができる。
【００９９】
図１２は図９のステップＳ１４における泣き声通知処理の詳細を示したフローチャートである。図１２において、泣き声通知処理は、ステップＳ５１で泣き声通知機能がセット状態か否かチェックする。このセット状態は、例えば図２の操作部３２に設けているモードスイッチ４９を使用して外出モードをセットすることで有効となる。
【０１００】
泣き声通知機能がセット状態にある場合には、ステップＳ５２〜Ｓ６４に示す処理により、泣き声センサ１４から泣き声検知電文を受けた際に、メールを外出した母親が保持している携帯電話などの外部端末機器２２に対し送信する。
【０１０１】
ステップＳ５２〜Ｓ６４における端末管理テーブル６４、端末状態保存テーブル６６、処理要求管理テーブル６８、メール管理テーブル７０及び送信状態テーブル７２を使用した処理は、図１１のステップ３５，Ｓ３６を除くステップＳ３１〜Ｓ４３の安否確認処理と基本的に同じであり、図１１のステップＳ３６に対応する図１２のステップＳ５７で該当送信番号について処理要求管理テーブル６８の泣き声通知を参照して処理要求の有無を判別する点が相違するだけである。
【０１０２】
この泣き声通知処理の具体例としては、赤ちゃんの母親が自分の携帯電話のメールアドレスを、ホームコントローラ１０における図７の端末番号３に対応した宛先に登録しておき、外出の際にモードスイッチ４９により外出モードを設定して、泣き声通知機能をセット状態としておく。
【０１０３】
この状態で、赤ちゃんを寝かせて近所へ買物などに出かけている間に赤ちゃんが目を覚まし、泣き出したり大声を出したりした場合は、泣き声センサ１６が泣き声を検知し、母親が保有している携帯電話にメールを送信して通知する。
【０１０４】
したがって、泣き声通知処理に基づくメールを受信したら受信者は急いで帰宅すればよい。また出かけている間メールが来なければ、赤ちゃんは寝ていることが分かり、安心して買物を続けることができる。
【０１０５】
図１３は図９のステップＳ１５における消し忘れ通知処理の詳細を示したフローチャートである。図１３の消し忘れ確認処理にあっては、まずステップＳ７１で消し忘れ機能がセット状態か否か判別する。この消し忘れ機能のセットは、例えば図２のホームコントローラ１０に設けているモードスイッチ４９で外出する際に外出モードをセットすることで有効となる。また外出する際には、報知部３０のディスプレイ４２にＡＣセンサ１８による検知状態を表示し、消し忘れがないように電気機器の電源を切って外出している。
【０１０６】
この状態で、外出中に例えば電気製品がタイマにより起動したような場合には、ステップＳ７２〜Ｓ８６の処理を通じて、消し忘れ通知メールの送信が、外出した居住者が携帯している携帯電話などに対し行われる。
【０１０７】
ここでステップＳ７３〜Ｓ８３の端末管理テーブル６４、端末状態保存テーブル６６、処理要求管理テーブル６８、メール管理テーブル７０及び送信状態テーブル７２を使用した処理は、図１１に示した安否確認処理におけるステップ３５，Ｓ３６を除くステップＳ３２〜Ｓ４４と同じであり、相違点は図１３のステップＳ７７で該当送信番号について処理要求管理テーブル６８の消し忘れ通知を参照して処理要求の有無を判別する点だけである。
【０１０８】
更に図１３の消し忘れ確認処理にあっては、ステップＳ８３に続いて、ステップＳ８４で外部端末機器からの電文受信の有無をチェックしており、電文を受信すると、ステップＳ８５で電文を解析し、電文の解析結果が停止指示であった場合には制御電文をＡＣセンサ１８に送信し、電気製品に対する電源供給を遮断する。
【０１０９】
これによって消し忘れ確認後の外出中に消し忘れ通知メールを受信した場合、メール受信者は、帰宅しなくても遠隔操作で、タイマなどにより起動した電気製品に対する電源供給を遮断することができる。
【０１１０】
更に消し忘れ確認処理にあっては、外出中に、外部端末機器である携帯電話などから消し忘れ確認メールをホームコントローラ１０に送信することができ、ホームコントローラ１０は消し忘れ確認メールを受信すると、現在のＡＣセンサ１８による検出状態、即ち図５に示した端末状態保存テーブル６６における現在の端末状態のＡＣセンサに該当する端末番号５の登録内容を応答メールにより返信し、外部から消し忘れの状態を把握できるようにしている。
【０１１１】
図１４は図９のステップＳ１６における防犯処理の詳細を示したフローチャートである。図１４の防犯処理にあっては、ステップＳ９１で防犯機能がセット状態か否か判別する。防犯機能のセットは、外出時にホームコントローラに設けているモードスイッチ４９により外出モードをセットすることで有効となる。
【０１１２】
防犯機能がセット状態にあることが判別されると、ステップＳ９２〜Ｓ１０４の処理により、人感センサ１２、１２−１，１２−２のいずれかで人検知が行われると、防犯通知メールが外出者の保持する携帯電話などの外部端末機器に送信され、盗難発生を知らせることができる。
【０１１３】
この防犯処理におけるステップＳ９２〜Ｓ１０４のメモリ３６のテーブルを用いた処理は、図１１のステップＳ３５，Ｓ３６を除くステップＳ３１〜Ｓ４３の処理と基本的に同じであり、ステップＳ９７で該当送信番号について処理要求管理テーブル６８の防犯処理を参照して処理要求の有無を判別している点が相違するだけである。
【０１１４】
図１５は本発明の他の実施形態を示したブロック図であり、この実施形態にあっては、図２のホームコントローラ１０に設けていた機能を、例えば人感センサ１２−１を備えた住警器１４−１に設けたことを特徴とする。
【０１１５】
図１５において、住警器１４−１は火災による煙や熱を検出して火災警報を出力する警報器であり、更に人感センサ１２−１が設けられている。人感センサ１４−１は人の存在の有無に応じて火災判断の検出感度を変える。例えば人検出態では火災の検出感度を高く設定し、人検出のない状態では火災の検出感度を高くしている。また、人感センサ１２−１は例えば盗難用の監視センサとして用いることもできる。
【０１１６】
住警器１４−１に対する端末機器として、住宅１１内には、この実施形態にあっては、ホームコントローラ１０、人感センサ１２、住警器１４−１，１４−２、泣き声センサ１６及びＡＣセンサ１８が設けられている。ホームコントローラ１０は、住警器１４−１，１４−２、人感センサ１２、住警器１４−１，１４−２、泣き声センサ１６及びＡＣセンサ１８から検出情報の電文を受信して必要な表示を行う。
【０１１７】
住警器１４−１は、ＣＰＵ２４を備え、ＣＰＵ２４に対しては、アンテナ２８を備えた無線回路部２６、火災検知部７８、人感センサ１４−１、報知部３０、操作部３２、ネットワークアダプタ３４及びメモリ３６、を設けている。また、住警器１４−１は商用ＡＣ１００ボルトを電源として動作し、停電用のバックアップ電源として電池電源を設けている。
【０１１８】
ＣＰＵ２４には、プログラムの実行により実現される機能として火災監視部８０と判断処理部５０が設けられている。火災監視部８０は火災検知部７８における煙濃度検出又は温度検出に基づく火災検知信号を受けて報知部３０により火災警報を出力する。
【０１１９】
判断処理部５０は端末機器から受信した電文を判断し、必要があれば報知部３０から判断結果を警報音や表示により出力すると共に、ネットワークアダプタ３４から判断結果に基づいて作成したメールを、インターネット２０を経由して外部端末機器２２に送信する。
【０１２０】
判断処理部５０の具体的な処理機能は、図２と同様に安否確認部５２、泣き声通知部５４、消し忘れ確認部５６及び防犯監視部５８の機能として実現されている。
【０１２１】
メモリ３６には、判断処理部５０における安否確認、泣き声通知、消し忘れ確認及び防犯監視の各処理機能を実現するため、図２と同様に、端末管理テーブル６４、端末状態保存テーブル６６、処理要求管理テーブル６８、メール管理テーブル７０及び通信状態テーブル７２が設けられている。
【０１２２】
このような住警器１４−１の機能及び処理動作は、図２のホームコントローラ１０について示した図３〜図１４の処理と基本的に同じになる。この場合、火災監視部８０に火災検知に基づいて火災検知電文をメールにより外部端末機器２２に通知する火災通知部８２を更に設けている。
【０１２３】
なお、上記の実施形態はホームコントローラ１０による端末機器からの検知電文に基づいた判断結果をメール送信する処理として、安否確認、子供泣き声通知、消し忘れ確認、防犯監視を例に取るものであったが、住宅に設置する端末機器のセンサ機能により判断処理を行って処理結果をメールにより通知する機能を、様々な日常的に起きる事象に対し実現することができる。
【０１２４】
その場合、既に設置されている端末機器であるセンサ類に手を加えることなく、ホームコントローラ１０側の処理機能を変更するだけで、新たな家庭内の事象を判断して判断結果をメールにより送る処理を実現することができる。
【０１２５】
また上記の実施形態にあっては、安否確認、泣き声通知、消し忘れ確認、防犯監視を例に取っているが、住宅１１に設置している住警器１４−１，１４−２は火災監視を行っており、住警器１４−１，１４−２で火災が検出されると、ホームコントローラ１０に火災検知電文が送られて、ホームコントローラ１０で火災警報表示が行われることは勿論である。
【０１２６】
このホームコントローラ１０による火災警報表示の機能についても、必要があれば火災監視機能のメール送信をセットしておくことで、火災警報を出力すると同時に、インターネット２０経由で登録した外部端末機器２２に対し火災報知メールを送信することができる。
【０１２７】
また上記に実施形態はインターネットを経由して外部端末機器を接続した場合を例にとるものであったが、これ以外に、電話回線やＣＡＴＶの通信網など適宜の通信網を介して外部端末機器と接続しても良く、その場合には、メール送信に代えて各通信網に適合した形態の情報の伝送を行うことになる。
【０１２８】
また本発明は上記の実施形態に限定されず、その目的と利点を損なうことのない適宜の変形を含み、更に上記の実施形態に示した数値による限定は受けない。
【図面の簡単な説明】
【０１２９】
【図１】本発明の住宅用コントローラ装置と端末機器が設置された住宅を示した説明図
【図２】本発明による住宅用コントローラ装置の実施形態を端末機器及び外部端末機器と共に示したブロック図
【図３】本実施形態で使用するイベント信号のフォーマットを示した説明図
【図４】図２の実施形態で使用する端末管理テーブルを示した説明図
【図５】図２の実施形態で使用する端末状態保存テーブルを示した説明図
【図６】図２の実施形態で使用する処理要求管理テーブルを示した説明図
【図７】図２の実施形態で使用するメール管理テーブルを示した説明図
【図８】図２の実施形態で使用する送信管理テーブルを示した説明図
【図９】図２の実施形態による監視処理の詳細を示したフローチャート
【図１０】図９のステップＳ１２における定期入出力処理の詳細を示したフローチャート
【図１１】図９のステップＳ１３における安否確認処理の詳細を示したフローチャート
【図１２】図９のステップＳ１４における泣き声通知処理の詳細を示したフローチャート
【図１３】図９のステップＳ１５における消し忘れ通知処理の詳細を示したフローチャート
【図１４】図９のステップＳ１６における防犯処理の詳細を示したフローチャート
【図１５】本発明による住警器の実施形態を端末機器及び外部端末機器と共に示したブロック図
【符号の説明】
【０１３０】
１０：ホームコントローラ
１２，１２−１，１２−２：人感センサ
１４−１，１４−２：住警器
１６： 泣き声センサ
１８： ＡＣセンサ
２０： インターネット
２２：外部端末機器
２４：ＣＰＵ
２６：無線回路部
２８：アンテナ
３０：報知部
３２： 操作部
３４：ネットワークアダプタ
３６：メモリ
３８： 送信回路
４０： 受信回路
４２：ディスプレイ
４４：スピーカ
４６：ＬＥＤ
４８：警報停止スイッチ
４９：モードスイッチ
５０：判断処理部
５２：安否確認部
５４：泣き声通知部
５６：消し忘れ確認部
５８：防犯監視部
６０：送信元符号
６２：グループ符号
６４：端末管理テーブル
６６：端末状態保存テーブル
６８：処理要求管理テーブル
７０：メール管理テーブル
７２：送信状態テーブル
７４：イベント信号
７６：イベント符号
７８：火災検知部
８０：火災監視部
８２：火災通知部
【図１】
2010049455.tif 000003
【図２】
2010049455.tif 000004
【図３】
2010049455.tif 000005
【図４】
2010049455.tif 000006
【図５】
2010049455.tif 000007
【図６】
2010049455.tif 000008
【図７】
2010049455.tif 000009
【図８】
2010049455.tif 000010
【図９】
2010049455.tif 000011
【図１０】
2010049455.tif 000012
【図１１】
2010049455.tif 000013
【図１２】
2010049455.tif 000014
【図１３】
2010049455.tif 000015
【図１４】
2010049455.tif 000016
【図１５】
2010049455.tif 000017